(57)【要約】【課題】着信が不可能である状況下においても着信呼の接続処理を行う。【解決手段】パケット通信システム１０において、ＳＧＳＮ１２が、移動通信端末（ＭＳ）１４への着信呼を受信したときに、ＭＳ１４においてＰＤＰコンテキストが確立され、ＳＧＳＮ１２においてＰＤＰコンテキストが確立されていない状態を示すＰＤＰ不一致状態を判定する状態不一致判断部２３と、ＰＤＰ不一致状態が判定された場合に、当該ＰＤＰ不一致状態を示す不一致情報を保持する不一致情報保持部２２と、ＰＤＰ不一致状態が判定された場合に、移動通信端末１４においてＰＤＰコンテキストが確立されていない状態に変更し、その後に、不一致情報保持部２２に不一致情報が保持されていることを判断した場合に、不一致情報に基づき移動通信端末１４にページング処理を行う接続制御部２４と、を備える。【選択図】図１
2010114845.tif 000002
【特許請求の範囲】
【請求項１】
移動通信端末と前記移動通信端末のパケット通信を中継するパケット中継装置とを備え、パケットデータプロトコル（ＰＤＰ）コンテキストを確立することによりデータ転送を可能にするパケット通信システムにおいて、
前記パケット中継装置が、
前記移動通信端末への着信呼を受信したときに、前記移動通信端末において前記ＰＤＰコンテキストが確立され、前記パケット中継装置において前記ＰＤＰコンテキストが確立されていない状態を示すＰＤＰ不一致状態を判定する判定手段と、
前記判定手段により前記ＰＤＰ不一致状態が判定された場合に、当該ＰＤＰ不一致状態を示す不一致情報を保持する不一致情報保持手段と、
前記判定手段により前記ＰＤＰ不一致状態が判定された場合に、前記移動通信端末においてＰＤＰコンテキストが確立されていない状態に変更する変更手段と、
前記変更手段により前記移動通信端末においてＰＤＰコンテキストが確立されていない状態に変更された後に、前記不一致情報保持手段に前記不一致情報が保持されていることを判断した場合に、当該不一致情報に基づき前記移動通信端末にページング処理を行うページング処理手段と、
を備えることを特徴とするパケット通信システム。
【請求項２】
前記パケット中継装置が、前記ＰＤＰコンテキストが確立されているか否かを示すＰＤＰ状態を保持するＰＤＰ状態保持手段を備え、
前記ページング処理手段は、前記パケット中継装置が前記移動通信端末への着信呼を受信したときに、前記着信呼に応じて前記移動通信端末にページング処理を行い、
前記判定手段は、前記ページング処理に応じて前記移動通信端末から受信した前記移動通信端末のＰＤＰ状態と、前記ＰＤＰ状態保持手段に保持される自機のＰＤＰ状態とを比較して、前記ＰＤＰ不一致状態を判定することを特徴とする、請求項１に記載のパケット通信システム。
【請求項３】
前記不一致情報は前記着信呼を含む着信呼情報であることを特徴とする請求項１又は２に記載のパケット通信システム。
【請求項４】
移動通信端末のパケット通信を中継するパケット中継装置であって、
前記移動通信端末への着信呼を受信したときに、前記移動通信端末においてパケットデータプロトコル（ＰＤＰ）コンテキストが確立されデータ転送が可能な状態であり、前記パケット中継装置において前記ＰＤＰコンテキストが確立されておらずデータ転送ができない状態であるＰＤＰ不一致状態を判定する判定手段と、
前記判定手段により前記ＰＤＰ不一致状態が判定された場合に、当該ＰＤＰ不一致状態を示す不一致情報を保持する不一致情報保持手段と、
前記判定手段により前記ＰＤＰ不一致状態が判定された場合に、前記移動通信端末においてＰＤＰコンテキストが確立されていない状態に変更する変更手段と、
前記変更手段により前記移動通信端末においてＰＤＰコンテキストが確立されていない状態に変更された後に、前記不一致情報保持手段に前記不一致情報が保持されていることを判断した場合に、当該不一致情報に基づき前記移動通信端末にページング処理を行うページング処理手段と、
を備えることを特徴とするパケット中継装置。
【請求項５】
移動通信端末と前記移動通信端末のパケット通信を中継するパケット中継装置とを備え、パケットデータプロトコル（ＰＤＰ）コンテキストを確立することによりデータ転送を可能にするパケット通信システムにおいて実行されるパケット通信方法であって、
前記パケット中継装置が前記移動通信端末への着信呼を受信する受信ステップと、
前記受信ステップにおける前記着信呼の受信に応じて、前記移動通信端末において前記ＰＤＰコンテキストが確立され、前記パケット中継装置において前記ＰＤＰコンテキストが確立されていない状態を示すＰＤＰ不一致状態を判定する判定ステップと、
前記判定ステップにおいて前記ＰＤＰ不一致状態が判定された場合に、当該ＰＤＰ不一致状態を示す不一致情報を前記パケット中継装置の不一致状態保持手段に保持する不一致情報保持ステップと、
前記判定ステップにおいて前記ＰＤＰ不一致状態が判定された場合に、前記移動通信端末においてＰＤＰコンテキストが確立されていない状態に変更する変更ステップと、
前記変更ステップにより前記移動通信端末においてＰＤＰコンテキストが確立されていない状態に変更された後に、前記不一致情報保持手段に前記不一致情報が保持されていることを判断した場合に、当該不一致情報に基づき前記移動通信端末にページング処理を行うページング処理ステップと、
を備えることを特徴とするパケット通信方法。
【発明の詳細な説明】
【技術分野】
【０００１】
本発明は、パケット通信システム、パケット中継装置、及びパケット通信方法に関する。
【背景技術】
【０００２】
移動通信端末によるデータ伝送技術として、ＧＰＲＳ（Ｇｅｎｅｒａｌ Ｐａｃｋｅｔ Ｒａｄｉｏ Ｓｅｒｖｉｃｅ）と呼ばれるパケット通信技術がある。移動通信端末がＧＰＲＳを利用してパケット通信を行う場合、移動通信端末は、ＳＧＳＮ（Ｓｅｒｖｉｎｇ ＧＰＲＳ Ｓｕｐｐｏｒｔ Ｎｏｄｅ）、ＧＧＳＮ（Ｇａｔｅｗａｙ ＧＰＲＳ Ｓｕｐｐｏｒｔ Ｎｏｄｅ）を含むＧＰＲＳネットワークを介して他の端末とパケット通信を行う。
【０００３】
また、この技術では、移動通信端末、ＳＧＳＮ、ＧＧＳＮにおいてＰＤＰ（Ｐａｃｋｅｔ Ｄａｔａ Ｐｒｏｔｏｃｏｌ：パケットデータプロトコル）コンテキストを確立することによって、データ通信が可能となる。ここで、「ＰＤＰコンテキストが確立する」とは、パケット通信を行うための各ノードに保存された通信の情報（ＩＰ通信であれば接続先のＩＰアドレスやノード間での識別子情報など）を有効にすることであり、以下ではこの状態のことを「ＰＤＰ状態をアクティブにする」という。また、ＰＤＰコンテキストが確立されていない状態を、「ＰＤＰ状態をインアクティブにする」という。  
【０００４】
図４は、移動通信端末（Ｍｏｂｉｌｅ  ｓｔａｔｉｏｎ：ＭＳ）が、パケット通信の一例としてのＩＭＳ（ＩＰ Ｍｕｌｔｉｍｅｄｉａ Ｓｕｂｓｙｓｔｅｍ）におけるＳＩＰ（Ｓｅｓｓｉｏｎ Ｉｎｉｔｉａｔｉｏｎ Ｐｒｏｔｏｃｏｌ）での音声通信を確立する処理を示したシーケンス図である。この例では、当初、ＭＳ、ＳＧＳＮ、ＧＧＳＮにおいてＰＤＰ状態がインアクティブであり、相互にデータ通信不能な状態である。そして、図示しない他の通信端末がＭＳへＳＩＰ音声通信を行おうとしている。
【０００５】
図４に示すように、他の発信側端末から未レジストレーション状態の端末に対してＩＮＶＩＴＥメッセージがＳ−ＣＳＣＦ（Ｓｅｒｖｉｎｇ Ｃａｌｌ Ｓｅｓｓｉｏｎ Ｃｏｎｔｒｏｌ Ｆｕｎｃｔｉｏｎ）／Ｐ−ＣＳＣＦ（Ｐｒｏｘｙ Ｃａｌｌ Ｓｅｓｓｉｏｎ Ｃｏｎｔｒｏｌ Ｆｕｎｃｔｉｏｎ）に受信されると（Ｓ４０１）、Ｓ−ＣＳＣＦ／Ｐ−ＣＳＣＦからＧＧＳＮを介して例えばＳＭＳなどによる着信通知がＳＧＳＮへ送信される（Ｓ４０２）。そしてＳＧＳＮとＭＳとの間に配置される図示しないＲＮＣ（Ｒａｄｉｏ Ｎｅｔｗｏｒｋ Ｃｏｎｔｒｏｌｌｅｒ）とＭＳとの間に無線リソースを確立するためのページング（Ｐａｇｉｎｇ）信号が、ＳＧＳＮからＲＮＳを介してＭＳへ送信される（Ｓ４０３）。
【０００６】
ＭＳにおいて、ＳＧＳＮからページング信号の受信に応じて、ＲＮＣとの間で無線リソースを制御するためのＲＲＣ（Ｒａｄｉｏ Ｒｅｓｏｕｒｃｅ Ｃｏｎｔｒｏｌ）接続が確立され、ＲＮＣを介してＳＧＳＮへ「Ａｃｔｉｖａｔｅ  ＰＤＰ  Ｃｏｎｔｅｘｔ  Ｒｅｑｕｅｓｔ」が送信される（Ｓ４０４）。ＳＧＳＮにおいて、ＧＧＳＮへ「Ｃｒｅａｔｅ  ＰＤＰ  Ｃｏｎｔｅｘｔ  Ｒｅｑｕｅｓｔ」が送信され（Ｓ４０５）、これに応じて、ＧＧＳＮから「Ｃｒｅａｔｅ  ＰＤＰ  Ｃｏｎｔｅｘｔ  Ａｃｃｅｐｔ」が受信され（Ｓ４０６）、ＭＳへ「Ａｃｔｉｖａｔｅ  ＰＤＰ  Ｃｏｎｔｅｘｔ  Ａｃｃｅｐｔ」が送信される（Ｓ４０７）。これにより、ＭＳ、ＳＧＳＮ、ＧＧＳＮにおいてＰＤＰコンテキストが確立されて、ＭＳ，ＳＧＳＮ、ＧＧＳＮのＰＤＰ状態がアクティブとなり、相互にデータ通信可能な状態となる。
【０００７】
ＭＳ、ＳＧＳＮ、ＧＧＳＮのＰＤＰ状態がアクティブになると、ＩＭＳネットワークに対してＳＩＰレジストレーションが実施され（Ｓ４０８）、Ｐ−ＣＳＣＦからＧＧＳＮ、ＳＧＳＮを介してＭＳへキューイングしていたＩＮＶＩＴＥメッセージが送信される（Ｓ４０９）。これに応じて、端末側で呼出動作を始めたことを示す信号“１８０”が、ＳＧＳＮ、ＧＧＳＮ、Ｐ−ＣＳＣＦを介してＳ−ＣＳＣＦへ返信され（Ｓ４１０）、着信者が応答することによって音声通信が確立される（Ｓ４１１）。
【０００８】
ここで、上記のＧＰＲＳネットワークにおいて、ＭＳと、ＳＧＳＮなどのパケット通信装置との間でＰＤＰ状態に不一致が生じる場合がある。例えば、ＭＳとＳＧＳＮの両方のＰＤＰ状態がアクティブである状況において、ＭＳがトンネルに入って通信圏外となった際にＧＰＲＳネットワーク上に何らかの故障が発生すると、ＧＰＲＳネットワークがリセットされてＳＧＳＮのＰＤＰ状態はインアクティブとなる。このときＭＳはトンネル内でネットワーク圏外のため、ネットワークのリセット処理の影響を受けず、ＭＳのＰＤＰ状態は依然としてアクティブである。このようにしてＭＳとＳＧＳＮの間でＰＤＰ状態の不一致が生じる。
【０００９】
このような状態では、上述のようにＭＳ，ＳＧＳＮ、ＧＧＳＮの間でＰＤＰ状態の制御を正常に行えなくなる。そこで、ＭＳとＳＧＳＮとのＰＤＰ状態の不一致を解消するための標準動作が非特許文献１に規定されている。図５は、ＭＳへの着信時にＭＳがアクティブ、ＳＧＳＮがインアクティブの場合における従来のＰＤＰ状態の不一致を解消する処理を示すシーケンス図である。図５のステップＳ５０１〜Ｓ５０３は、図４のステップＳ４０１〜Ｓ４０３と同一であるため、説明を省略する。
【００１０】
図５に示すように、ＳＧＳＮからＭＳへのページング信号の受信に応じて、ＭＳのＰＤＰ状態が含まれるＳｅｒｖｉｃｅ Ｒｅｑｕｅｓｔ（ページング応答信号（Ｐａｇｉｎｇ Ｒｅｓｐｏｎｓｅ））がＭＳからＳＧＳＮへ送信される（Ｓ５０４）。ＳＧＳＮにおいて、ＰａｇｉｎｇＲｅｓｐｏｎｓｅに含まれるＭＳのＰＤＰ状態が自機のＰＤＰ状態と異なることが検知されると、ＭＳにＳｅｒｖｉｃｅ Ｒｅｊｅｃｔが返され（Ｓ５０５）、ＭＳとＲＮＣとの間のＲＲＣ接続が開放され、ＭＳ及びＳＧＳＮのＰＤＰ状態を共にインアクティブにして、ＰＤＰ状態を一致させる。さらに、ＳＧＳＮからＧＧＳＮを介してＰ−ＣＳＣＦへ着信通知に対するＮＧ応答が返される（Ｓ５０６）。Ｐ−ＣＳＣＦからはＳ−ＣＳＣＦを介して発信側端末へ呼が成立しなかったことを示すエラーコード“４ｘｘ（例えば４８０や４８６）”が返される（Ｓ５０７）。そして、音声着信不可となったところで処理を終了する（Ｓ５０８）。
【非特許文献１】３ＧＰＰ  ＴＳ２４．００８
【発明の開示】
【発明が解決しようとする課題】
【００１１】
しかしながら、非特許文献１のように従来のＰＤＰ状態の不一致を解消する手法では、ＳＧＳＮによるＲＲＣ開放処理の際に着信呼が消去されてしまうため、ＰＤＰ状態の不一致が解消された後に着信側端末と呼接続を行うことができない。このため、発信者は発信呼に対するエラーを受信することになり、この発信呼を着信者へ着信させることができない。また，発信者が再度発信を行わなければ、着信者は自分に対して着信があったことを知ることさえできない。
【００１２】
本発明は、上記の問題点を解決するためになされたものであり、着信が不可能である状況下においても着信呼の接続処理を行うことが可能なパケット通信システム、パケット中継装置、及びパケット通信方法を提供することを目的とする。
【課題を解決するための手段】
【００１３】
本発明に係るパケット通信システムは、移動通信端末とこの移動通信端末のパケット通信を中継するパケット中継装置とを備え、パケットデータプロトコル（ＰＤＰ）コンテキストを確立することによりデータ転送を可能にするパケット通信システムにおいて、パケット中継装置が、移動通信端末への着信呼を受信したときに、移動通信端末においてＰＤＰコンテキストが確立され、パケット中継装置においてＰＤＰコンテキストが確立されていない状態を示すＰＤＰ不一致状態を判定する判定手段と、判定手段によりＰＤＰ不一致状態が判定された場合に、当該ＰＤＰ不一致状態を示す不一致情報を保持する不一致情報保持手段と、判定手段によりＰＤＰ不一致状態が判定された場合に、移動通信端末においてＰＤＰコンテキストが確立されていない状態に変更する変更手段と、変更手段により移動通信端末においてＰＤＰコンテキストが確立されていない状態に変更された後に、不一致情報保持手段に不一致情報が保持されていること判断した場合に、この不一致情報に基づき移動通信端末にページング処理を行うページング処理手段と、を備えることを特徴とする。
【００１４】
また、上記課題を解決するために、本発明に係るパケット中継装置は、移動通信端末のパケット通信を中継するパケット中継装置であって、移動通信端末への着信呼を受信したときに、移動通信端末においてパケットデータプロトコル（ＰＤＰ）コンテキストが確立されデータ転送が可能な状態であり、パケット中継装置においてＰＤＰコンテキストが確立されておらずデータ転送ができない状態であるＰＤＰ不一致状態を判定する判定手段と、判定手段によりＰＤＰ不一致状態が判定された場合に、当該ＰＤＰ不一致状態を示す不一致情報を保持する不一致情報保持手段と、判定手段によりＰＤＰ不一致状態が判定された場合に、移動通信端末においてＰＤＰコンテキストが確立されていない状態に変更する変更手段と、変更手段により移動通信端末においてＰＤＰコンテキストが確立されていない状態に変更された後に、不一致情報保持手段に不一致情報が保持されていることを判断した場合に、この不一致情報に基づき移動通信端末にページング処理を行うページング処理手段と、を備えることを特徴とする。
【００１５】
また、上記課題を解決するために、本発明に係るパケット通信方法は、移動通信端末とこの移動通信端末のパケット通信を中継するパケット中継装置とを備え、パケットデータプロトコル（ＰＤＰ）コンテキストを確立することによりデータ転送を可能にするパケット通信システムにおいて実行されるパケット通信方法であって、パケット中継装置が移動通信端末への着信呼を受信する受信ステップと、受信ステップにおける着信呼の受信に応じて、移動通信端末においてＰＤＰコンテキストが確立され、パケット中継装置においてＰＤＰコンテキストが確立されていない状態を示すＰＤＰ不一致状態を判定する判定ステップと、判定ステップにおいてＰＤＰ不一致状態が判定された場合に、当該ＰＤＰ不一致状態を示す不一致情報をパケット中継装置の不一致状態保持手段に保持する不一致情報保持ステップと、判定ステップにおいてＰＤＰ不一致状態が判定された場合に、移動通信端末においてＰＤＰコンテキストが確立されていない状態に変更する変更ステップと、変更ステップにより移動通信端末においてＰＤＰコンテキストが確立されていない状態に変更された後に、不一致情報保持手段に不一致情報が保持されていることを判断した場合に、この不一致情報に基づき移動通信端末にページング処理を行うページング処理ステップと、を備えることを特徴とする。
【００１６】
これらの構成により、移動通信端末とパケット通信装置との間にＰＤＰ不一致状態が生じた場合に、ＰＤＰ不一致状態を示す不一致情報がパケット中継装置の不一致状態保持手段に保持され、ＰＤＰ不一致状態が解消された後に、不一致情報保持手段に不一致情報が保持されていると判断された場合に、この不一致情報に基づき移動通信端末にページング処理が行われる。このため、ＰＤＰ不一致状態が生じた場合に、ＰＤＰ状態の不一致を解消して、自動的に着信呼を接続することができ、着信が不可能である状況下においても着信呼の接続処理を行うことが可能となる。
【００１７】
また、パケット中継装置が、ＰＤＰコンテキストが確立されているか否かを示すＰＤＰ状態を保持するＰＤＰ状態保持手段を備え、ページング処理手段は、パケット中継装置が移動通信端末への着信呼を受信したときに、着信呼に応じて移動通信端末にページング処理を行い、判定手段は、ページング処理に応じて移動通信端末から受信した移動通信端末のＰＤＰ状態と、ＰＤＰ状態保持手段に保持される自機のＰＤＰ状態とを比較して、ＰＤＰ不一致状態を判定することが好適である。
【００１８】
この構成により、パケット中継装置のＰＤＰ状態保持手段に保持されるパケット中継装置のＰＤＰ状態と、ページング処理に応じて受信した移動通信端末のＰＤＰ状態とを比較して、ＰＤＰ不一致状態が判定されるため、移動通信端末とパケット中継装置とのＰＤＰ状態の不一致の発生を精度良く検知することができる。
【００１９】
また、不一致情報は着信呼を含む着信呼情報であることが好適である。この構成により、ＰＤＰ状態の不一致が解消された後に着信呼を保持することができるため、パケット中継装置は着信呼があったことを認識し、迅速に着信呼の接続処理を行うことができる。
【発明の効果】
【００２０】
本発明に係るパケット通信システム、パケット中継装置、及びパケット通信方法によれば、着信が不可能である状況下においても着信呼の接続処理を行うことが可能となる。
【発明を実施するための最良の形態】
【００２１】
以下、図面を参照して本発明に係るパケット通信システム、パケット中継装置、及びパケット通信方法の好適な実施形態について説明する。なお、図面の説明においては同一要素には同一符号を付し、重複する説明を省略する。
【００２２】
図１は、本実施形態に係るパケット通信システム１０の構成図である。図１に示すように、パケット通信システム１０は、ＳＧＳＮ（パケット中継装置）１２と、ＲＮＣ１３と、移動通信端末（ＭＳ）１４とを含んで構成されている。ＭＳ１４は、ＲＮＣ１３を介してＳＧＳＮ１２とパケット通信を行うことにより、図示しないＧＧＳＮより上位のＧＰＲＳネットワークを介して、他の端末との間でデータを送受信することができる。なお、図１には、ＭＳ１４は１つしか示されていないが、パケット通信システム１０には、通常、無数のＭＳ１４が含まれている。
【００２３】
ＳＧＳＮ１２及びＲＮＣ１３は、物理的には、ＣＰＵ（Central Processing Unit）、主記憶装置であるＲＡＭ（Random Access Memory）及びＲＯＭ（Read Only Memory）、ハードディスク装置等の補助記憶装置、入力デバイスである入力キー等の入力装置、ディスプレイ等の出力装置、ネットワークカード等のデータ送受信デバイスである通信モジュールなどを有するコンピュータとして構成されている。これらの構成要素が動作することにより、ＳＧＳＮ１２及びＲＮＣ１３の後述する各機能が発揮される。
【００２４】
また、ＭＳ１４は、物理的には、ＣＰＵ、主記憶装置であるＲＡＭ及びＲＯＭ、ハードディスク装置等の補助記憶装置、入力デバイスである入力キー等の入力装置、ディスプレイ等の出力装置、無線送受信機等を含む無線通信モジュールなどを有する端末装置として構成されている。この無線通信モジュールは、移動体通信方式による無線通信を実行するモジュールであり、ＣＰＵ、ＲＡＭ、ＲＯＭ等との協働により任意の端末装置やサーバ装置との間でのデータ通信機能を実現する。
【００２５】
次に、ＳＧＳＮ１２の機能について説明する。図１に示すように、ＳＧＳＮ１２は、ＰＤＰコンテキストステータス記憶部（ＰＤＰ状態保持手段）２１、不一致情報保持部（不一致情報保持手段）２２、状態不一致判断部（判定手段）２３、及び接続制御部（変更手段、ページング処理手段）２４を備えている。
【００２６】
ＰＤＰコンテキストステータス記憶部２１は、ＰＤＰコンテキストが確立されているか否かを示すＰＤＰ状態を保持している。図２は、ＰＤＰコンテキストステータス記憶部２１の一例を示す図である。図２に示すように、ＰＤＰコンテキストステータス記憶部２１は、具体的にはＮＳＡＰＩ（０）〜ＮＳＡＰＩ（１５）までの１６個の領域が設けられたテーブルである。
【００２７】
ＮＳＡＰＩ（５）〜ＮＳＡＰＩ（１５）は、例えばＳＩＰ音声通話やデータ通信などのＰＤＰコンテキストごとに個別に関連付けられた領域であり、各ＰＤＰ状態を０か１のいずれかの値で保持している。この領域に０が保持される場合には、対応するＰＤＰコンテキストのＳＭ（Ｓｅｓｓｉｏｎ Ｍａｎａｇｅｍｅｎｔ）状態がＰＤＰ−ＩＮＡＣＴＩＶＥであり、すなわちＰＤＰ状態がインアクティブである。また、この領域に１が保持される場合には、対応するＰＤＰコンテキストのＳＭ状態がＰＤＰ−ＩＮＡＣＴＩＶＥではなく、すなわちＰＤＰ状態がアクティブである。また、シングルＰＤＰ網では、ＮＳＡＰＩ（５）〜ＮＳＡＰＩ（１５）のうち１つのみが“１”となり、他は“０”となる。
【００２８】
本実施形態では、ＳＩＰ音声通信に関連付けられたＮＳＡＰＩ（５）〜ＮＳＡＰＩ（１５）のいずれかの領域に、ＳＧＳＮ１２におけるＳＩＰ音声通信に関するＰＤＰ状態に応じて０又は１が保持される。
【００２９】
なお、ＰＤＰコンテキストステータスについては非特許文献１（３ＧＰＰＴＳ ２４．００８）に記載されている。この文献に規定されているプロトコルのバージョンでは、ＰＤＰコンテキストステータス記憶部２１のＮＳＡＰＩ（０）〜ＮＳＡＰＩ（４）の領域はスペアとして扱われ、常に０が保持される。
【００３０】
不一致情報保持部２２は、ＭＳ１４とＳＧＳＮ１２との間にＰＤＰ状態の不一致が生じた場合（以下、この状態を「ＰＤＰ不一致状態」という）に、ＰＤＰ不一致状態を示す不一致情報を保持する部分である。不一致情報保持部２２は、具体的には、ＰＤＰ不一致状態が生じた際に着信が要求されている呼情報を不一致情報として保持する。呼情報とは発信元の識別情報を含み、例えば発信元のＩＰアドレスや電話番号などである。
【００３１】
状態不一致判断部２３は、ＭＳ１４とＳＧＳＮ１２との間にＰＤＰ状態の不一致が生じているか否かを判定する。具体的には、状態不一致判断部２３は、ＭＳ１４への着信呼を受信したとき、後述する接続制御部２４からＭＳ１４へ送信されるページング信号に応じてＭＳ１４から受信したページング応答信号に含まれるＭＳ１４のＰＤＰ状態と、ＰＤＰコンテキストステータス記憶部２１に保持される自機のＰＤＰ状態とを比較して、前記ＰＤＰ状態の不一致を検出する。本実施形態では、状態不一致判断部２３は、ＰＤＰコンテキストステータス記憶部２１のＳＩＰ音声通信に関連付けられた領域に保持される数値（０又は１）に基づき、ＳＧＳＮ１２のＰＤＰ状態を認識する。状態不一致判断部２３は、不一致を検出したときには呼情報を不一致情報保持部２２に送り記憶させる。
【００３２】
接続制御部２４は、ＭＳ１４、ＲＮＣ１３、ＧＧＳＮ（図示せず）などとデータや信号の送受信を行い、また、一連のセッション確立処理を行う。具体的には、接続制御部２４は、ＧＧＳＮから着信呼を受信すると、着信呼に応じてＭＳ１４に対してページング処理を行う。また、このページング処理に応じてＭＳ１４からページング応答信号を受信すると、この信号に含まれるＭＳ１４のＰＤＰ状態の情報を状態不一致判断部２３に送信する。さらに、状態不一致判断部２３によりＰＤＰ不一致状態が判定されると、ＲＮＣ１３にＲＲＣ開放処理を行うよう制御指令を送る。ＲＲＣ開放処理の後に、不一致情報保持部２２に呼情報が保持されている場合に、呼情報の着信呼に応じてＭＳ１４にページング処理を行う。
【００３３】
次に、図３に示すシーケンス図を用いて、本実施形態のパケット通信システム１０において実行される処理を説明すると共に、本実施形態に係るパケット通信方法について説明する。
【００３４】
図３は、ＭＳ１４のＰＤＰ状態がアクティブであり、ＳＧＳＮ１２のＰＤＰ状態がインアクティブの場合に、本実施形態のパケット通信システム１０によって実施されるＰＤＰ状態の不一致を解消する処理を示すシーケンス図である。図３に示すように、ＳＧＳＮ１２により、ＧＰＲＳネットワークを介して他の通信端末から着信呼が受信されると、ＭＳ１４へページング信号が送信される（Ｓ１０１）。
【００３５】
このページング信号に応じて、ＭＳ１４により、ＲＮＣ１３とＭＳ１４との間にＲＲＣ接続が確立され（Ｓ１０２）、ページング応答信号（Ｐａｇｉｎｇ Ｒｅｓｐｏｎｓｅ）としてＳｅｒｖｉｃｅ ＲｅｑｕｅｓｔがＳＧＳＮ１２へ送信される（Ｓ１０３）。このＳｅｒｖｉｃｅ Ｒｅｑｕｅｓｔには、現在のＭＳ１４のＰＤＰ状態（ここではアクティブ）が含まれている。
【００３６】
次に、ＳＧＳＮ１２において、接続制御部２４により受信されたＳｅｒｖｉｃｅ Ｒｅｑｕｅｓｔが状態不一致判断部２３に送信され、状態不一致判断部２３によりＭＳ１４とＳＧＳＮ１２との間にＰＤＰ状態の不一致が生じているか否かが判定される（Ｓ１０４）。具体的には、状態不一致判断部２３は、ＳｅｒｖｉｃｅＲｅｑｕｅｓｔに含まれるＭＳ１４のＰＤＰ状態（ここではアクティブ）を抽出し、ＰＤＰコンテキストステータス記憶部２１に保持されているＳＧＳＮ１２のＰＤＰ状態と比較して、両者のＰＤＰ状態が異なる場合にＰＤＰ不一致状態が生じていると判定する。ここでは、ＰＤＰ不一致状態と判定され、ステップＳ１０１で受信した着信呼が不一致情報保持部２２に保持され（Ｓ１０５）、状態不一致が生じていることが接続制御部２４へ送信される。
【００３７】
次に、ＭＳ１４とＳＧＳＮ１２との間で認証処理が行われ（Ｓ１０６）、接続制御部２４により、ＳＧＳＮ１２のＰＤＰ状態がアクティブではないというメッセージ（Ｎｏ ＰＤＰ Ｃｏｎｔｅｘｔ Ａｃｔｉｖａｔｅｄ）を含むＳｅｒｖｉｃｅ ＲｅｊｅｃｔがＭＳ１４へ送信される（Ｓ１０７）。接続制御部２４により、ＭＳ１４とＲＮＣ１３とのＲＲＣ接続の開放処理が行われ（Ｓ１０８）、ＭＳ１４のＰＤＰ状態もＳＧＳＮ１２と同様にインアクティブになる。
【００３８】
次に、接続制御部２４により、不一致情報保持部２２に着信呼が保持されているかが確認され（Ｓ１０９）、着信呼が保持されている場合にはＭＳ１４へページング信号が新たに送信される（Ｓ１１０）。このページング信号に応じて、ＭＳ１４により、ＲＮＣ１３とＭＳ１４との間にＲＲＣ接続が確立され（Ｓ１１１）、ページング応答信号としてＳｅｒｖｉｃｅ ＲｅｑｕｅｓｔがＳＧＳＮ１２へ送信される（Ｓ１１２）。このＳｅｒｖｉｃｅ Ｒｅｑｕｅｓｔ（ページング応答信号）には、現在のＭＳ１４のＰＤＰ状態（ここではインアクティブ）が含まれている。
【００３９】
次に、ＳＧＳＮ１２において、接続制御部２４により受信されたＳｅｒｖｉｃｅ Ｒｅｑｕｅｓｔが状態不一致判断部２３に送信され、状態不一致判断部２３によりＭＳ１４とＳＧＳＮ１２との間にＰＤＰ状態の不一致が生じているか否かが判定される（Ｓ１１３）。ここでは、ＰＤＰ状態は一致していると判定され、その判定結果が接続制御部２４へ送信される。
【００４０】
次に、ＭＳ１４とＳＧＳＮ１２との間で認証／秘匿処理が行われ（Ｓ１１４）、接続制御部２４により、ＭＳ１４との間でＣＰ−ＤＡＴＡの送受信が行われる（Ｓ１１５）。このＣＰ−ＤＡＴＡは、ＰＤＰコンテキストの確立処理をＭＳ１４に開始させるトリガとなる信号であり、着信呼に関する発信側端末の情報を含んでいる。
【００４１】
次に、ＭＳ１４により、ＣＰ−ＤＡＴＡの受信に応じて、ＲＮＣ１３を介してＳＧＳＮ１２へ「Ａｃｔｉｖａｔｅ ＰＤＰ Ｃｏｎｔｅｘｔ Ｒｅｑｕｅｓｔ」が送信される（Ｓ１１６）。ＳＧＳＮ１２の接続制御部２４により、ＲＮＣ１３へ「ＲＡＢ Ａｓｓｉｇｎｍｅｎｔ Ｒｅｑｕｅｓｔ（無線アクセスベアラ割当要求）」が送信される（Ｓ１１７）と共に、ＧＧＳＮ（図示せず）に「Ｃｒｅａｔｅ ＰＤＰ Ｃｏｎｔｅｘｔ Ｒｅｑｕｅｓｔ」が送信される（図４のＳ４０５参照）。これに応じてＧＧＳＮから「Ｃｒｅａｔｅ ＰＤＰ Ｃｏｎｔｅｘｔ Ａｃｃｅｐｔ」が受信される（図４のＳ４０６参照）と共に、ＲＮＣ１３から「ＲＡＢ Ａｓｓｉｇｎｍｅｎｔ Ｒｅｓｐｏｎｓｅ（無線アクセスベアラ割当応答）」が受信される（Ｓ１１８）と、ＭＳ１４に「Ａｃｔｉｖａｔｅ ＰＤＰ Ｃｏｎｔｅｘｔ Ａｃｃｅｐｔ」が送信される（Ｓ１１９）。
【００４２】
以上説明したように、本実施形態に係るパケット通信システム１０及びＳＧＳＮ１２によれば、ＭＳ１４のＰＤＰ状態がアクティブであり、ＳＧＳＮ１２のＰＤＰ状態がインアクティブである状態を示すＰＤＰ不一致状態が生じた場合に、ＰＤＰ不一致状態を示す不一致情報がＳＧＳＮ１２の不一致情報保持部２２に保持され、ＰＤＰ不一致状態が解消された後に、不一致情報保持部２２に不一致情報が保持されていることを判断した場合に、ＭＳ１４にページング処理が行われる。このため、ＰＤＰ不一致状態が生じた場合に、ＰＤＰ状態の不一致を解消した後に着信呼の接続処理を再度実行して、自動的に着信呼を接続することができ、着信が不可能である状況下においても、発信者に対して手間をかけることなく着信呼の接続処理を行うことが可能となる。
【００４３】
また、ＳＧＳＮ１２のＰＤＰコンテキストステータス記憶部２１に保持されるＳＧＳＮ１２のＰＤＰ状態と、ページング処理に応じて受信したＭＳ１４のＰＤＰ状態とを比較して、ＰＤＰ不一致状態が判定されるため、ＭＳ１４とＳＧＳＮ１２とのＰＤＰ状態の不一致の発生を精度良く検知することができる。
【００４４】
また、不一致情報は、着信呼を含む着信呼情報であるため、ＰＤＰ状態の不一致が解消された後に着信呼を保持することができ、ＳＧＳＮ１２は着信呼があったことを認識し、迅速に着信呼の接続処理を行うことができる。
【００４５】
アクセスネットワーク（ＩＰ−ＣＡＮ）としてＧＰＲＳ網により構成されるものを一例として説明したが、ＥＰＳ（Ｅｖｏｌｖｅｄ Ｐａｃｋｅｔ Ｓｙｓｔｅｍ）などのパケット通信を実現するシステムにおいても情報を保持するシステムが異なるだけで、同様の方法により不一致状態を解消することにより着信を行うことができる。
【図面の簡単な説明】
【００４６】
【図１】本発明の一実施形態に係るパケット通信システムの構成図である。
【図２】図１中のＰＤＰコンテキストステータス記憶部の一例を示す図である。
【図３】図１に示すパケット通信システムにおいて実行される移動通信端末とＳＧＳＮのＰＤＰ状態の不一致を解消して呼接続を行う処理を示すシーケンス図である。
【図４】従来のＧＰＲＳネットワークを介して移動通信端末がＳＩＰ着信を確立する処理を例示したシーケンス図である。
【図５】移動通信端末への着信時に移動通信端末がアクティブ、ＳＧＳＮがインアクティブの場合におけるＰＤＰ状態の不一致を解消する従来の処理を示すシーケンス図である。
【符号の説明】
【００４７】
１０…パケット通信システム、１２…ＳＧＳＮ（パケット中継装置）、１４…移動通信端末、２１…ＰＤＰコンテキストステータス記憶部（ＰＤＰ状態保持手段）、２２…不一致情報保持部（不一致情報保持手段）、２３…状態不一致判断部（判定手段）、２４…接続制御部（変更手段、ページング処理手段）。
【図１】
2010114845.tif 000003
【図２】
2010114845.tif 000004
【図３】
2010114845.tif 000005
【図４】
2010114845.tif 000006
【図５】
2010114845.tif 000007